(57)【要約】【課題】移動電話端末機などを用いて通話を試みる発信者、又は受信者にカスタマイズしたウィジェット型通話待ち受け画面を提供することができるウィジェット型通話待ち受け画面提供システムを提供すること。【解決手段】通話待ち受け画面提供システムは、管理サーバ１１０と、管理サーバによって制御管理され、ウィジェット型通話待ち受け画面コンテンツ及びこれを駆動するための専用アプリケーションを保存管理するためのデータベース１２０と、データベースからダウンロードしたウィジェット型通話待ち受け画面コンテンツ及びこれを駆動するための専用アプリケーションを搭載することで、発信通話待ち受け中にウィジェット型通話待ち受け画面が実行される使用者端末機１３０とを含み、ウィジェット型通話待ち受け画面コンテンツは、受信者の電話番号に連動して、発信通話待ち受け中に実行される。【選択図】図１
2010103964.tif 000002
【特許請求の範囲】
【請求項１】
通話待ち受け画面提供システムにおいて、
管理サーバと、
前記管理サーバによって制御管理され、ウィジェット型通話待ち受け画面コンテンツ及びこれを駆動するための専用アプリケーションを保存管理するためのデータベースと、
前記データベースからダウンロードしたウィジェット型通話待ち受け画面コンテンツ及びこれを駆動するための専用アプリケーションを搭載することで、発信通話待ち受け中にウィジェット型通話待ち受け画面コンテンツが実行される使用者端末機と、を含み、
前記ウィジェット型通話待ち受け画面コンテンツは、受信者の電話番号に連動して、内線番号の案内、製品又はメニューの紹介、予約又は前売り情報、世論調査及び案内、又は広告情報のうち少なくとも一つを含んで発信通話待ち受け中に実行されることを特徴とするウィジェット型通話待ち受け画面提供システム。
【請求項２】
前記ウィジェット型通話待ち受け画面コンテンツは、使用者によって作成されて前記管理サーバを介してアップロードされた後、これのダウンロードを希望する使用者端末機に選択的にダウンロードできるように構成されることを特徴とする請求項１に記載のウィジェット型通話待ち受け画面提供システム。
【請求項３】
前記ウィジェット型通話待ち受け画面コンテンツは、前記管理サーバから提供されるウィジェット型通話待ち受け画面作成ツールにより作成できるか、又はすでに作成されている複数のウィジェット型待ち受け画面コンテンツから使用者によって選択できるように構成されることを特徴とする請求項２に記載のウィジェット型通話待ち受け画面提供システム。
【請求項４】
前記使用者端末機を介して前記データベースに現在保存されているウィジェット型通話待ち受け画面コンテンツに対するリストの確認、検索及びこれに対する選択的なダウンロードができることを特徴とする請求項１〜３のいずれか１項に記載のウィジェット型通話待ち受け画面提供システム。
【請求項５】
前記ウィジェット型通話待ち受け画面コンテンツは、発信者と受信者との間の電話が繋がった後も発信者の端末機画面を介して実行状態を維持することを特徴とする請求項１〜４のいずれか１項に記載のウィジェット型通話待ち受け画面提供システム。
【請求項６】
前記ウィジェット型通話待ち受け画面コンテンツは、発信者の操作に対応するように詳細メニューや追加情報の提供、購買、予約又は選択された内線番号への連結を含む付加機能を行えることを特徴とする請求項１〜５のいずれか１項に記載のウィジェット型通話待ち受け画面提供システム。
【請求項７】
前記使用者端末機に搭載されたウィジェット型通話待ち受け画面コンテンツ及びこれを駆動するための専用アプリケーションは、前記管理サーバとの連動によってリアルタイム又は周期的なアップデートができることを特徴とする請求項１〜６のいずれか１項に記載のウィジェット型通話待ち受け画面提供システム。
【請求項８】
現在発信が行われている受信者の電話番号と連動する前記ウィジェット型通話待ち受け画面コンテンツが発信者の端末機に保存されていない場合、前記ウィジェット型通話待ち受け画面コンテンツに対するリアルタイムダウンロードが行われることを特徴とする請求項７に記載のウィジェット型通話待ち受け画面提供システム。
【請求項９】
前記ウィジェット型通話待ち受け画面コンテンツに対するリアルタイムダウンロードは、発信者の該当するウィジェット型通話待ち受け画面コンテンツに対するダウンロード許可決定に対応して行われることを特徴とする請求項８に記載のウィジェット型待ち受け画面提供システム。
【請求項１０】
前記管理サーバは前記データベースによって保存管理されるウィジェット型通話待ち受け画面コンテンツ及びこれを駆動するための専用アプリケーションにアップデートが発生した場合、その旨を使用者端末機に通知することを特徴とする請求項７〜９のいずれか１項に記載のウィジェット型通話待ち受け画面提供システム。
【請求項１１】
通話待ち受け画面提供システムにおいて、
管理サーバと、
前記管理サーバによって制御管理され、ウィジェット型通話待ち受け画面コンテンツ及びこれを駆動するための専用アプリケーションを保存管理するためのデータベースと、
前記データベースからダウンロードしたウィジェット型通話待ち受け画面コンテンツ及びこれを駆動するための専用アプリケーションを搭載することで、受信通話待ち受け中にウィジェット型通話待ち受け画面が実行される使用者端末機と、を含み、
前記ウィジェット型通話待ち受け画面コンテンツは、発信者の電話番号に連動して、内線番号の案内、製品又はメニューの紹介、予約又は前売り情報、世論調査及び案内、又は広告情報のうち少なくとも一つを含んで受信通話待ち受け中に実行されることを特徴とするウィジェット型通話待ち受け画面提供システム。
【請求項１２】
前記ウィジェット型通話待ち受け画面コンテンツは、受信者と発信者との間の電話が繋がった後も受信者の端末機画面を介して実行状態を維持することを特徴とする請求項１１に記載のウィジェット型通話待ち受け画面提供システム。
【請求項１３】
前記ウィジェット型通話待ち受け画面コンテンツは、受信者の操作に対応するように詳細メニューや追加情報の提供、購買、予約又は選択された内線番号への連結を含む付加機能を行えることを特徴とする請求項１２に記載のウィジェット型通話待ち受け画面提供システム。
【請求項１４】
前記使用者端末機に搭載されたウィジェット型通話待ち受け画面コンテンツ及びこれを駆動するための専用アプリケーションは、前記管理サーバとの連動によってリアルタイム又は周期的なアップデートができることを特徴とする請求項１１〜１３のいずれか１項に記載のウィジェット型通話待ち受け画面提供システム。
【請求項１５】
現在受信が行われている発信者の電話番号と連動する前記ウィジェット型通話待ち受け画面コンテンツが受信者の端末機に保存されていない場合、前記ウィジェット型通話待ち受け画面コンテンツに対するリアルタイムダウンロードが行われることを特徴とする請求項１４に記載のウィジェット型通話待ち受け画面提供システム。
【請求項１６】
前記ウィジェット型通話待ち受け画面コンテンツに対するリアルタイムダウンロードは、受信者の該当するウィジェット型通話待ち受け画面コンテンツに対するダウンロード許可決定に対応して行われることを特徴とする請求項１５に記載のウィジェット型待ち受け画面提供システム。
【請求項１７】
前記管理サーバは前記データベースによって保存管理されるウィジェット型通話待ち受け画面コンテンツ及びこれを駆動するための専用アプリケーションにアップデートが発生した場合、その旨を使用者端末機に通知することを特徴とする請求項１４〜１６のいずれか１項に記載のウィジェット型通話待ち受け画面提供システム。
【請求項１８】
通話待ち受け画面提供システムにおいて、
管理サーバと、
前記管理サーバによって制御管理され、ウィジェット型通話待ち受け画面コンテンツ及びこれを駆動するための専用アプリケーションを保存管理するためのデータベースと、
前記データベースからダウンロードしたウィジェット型通話待ち受け画面コンテンツ及びこれを駆動するための専用アプリケーションを搭載することで、発信及び受信通話待ち受け中にウィジェット型通話待ち受け画面が実行される使用者端末機と、を含み、
前記ウィジェット型通話待ち受け画面コンテンツは、発信通話待ち受け中に受信者の電話番号に連動して発信通話待ち受け中に実行され、受信通話待ち受け中に発信者の電話番号に連動して受信通話待ち受け中に実行されることを特徴とするウィジェット型通話待ち受け画面提供システム。
【発明の詳細な説明】
【技術分野】
【０００１】
本発明は、ウィジェット型通話待ち受け画面提供システムに関し、さらに詳しくは、移動電話端末機などを用いて通話を試みる発信者、又は受信者に通話待ち受け画面を介して実用的かつ有用な情報の提供などを可能とするためのウィジェット型通話待ち受け画面提供システムに関する。
【背景技術】
【０００２】
情報通信社会への急速な発展によりインターネット及び移動通信サービスは、現代人にとってすでに長らく必需品となっている。特に、移動通信技術が情報通信技術分野における先端技術の集約的な形態として急浮上し、様々な技術産業への分化及びそれによる莫大な規模の付加価値を創出している。
【０００３】
このような情勢に歩調を合わせて、ほとんどの人々がコンピュータや携帯電話のような個人用端末機を少なくとも一つ以上所持するようになり、特に携帯電話などの移動通信用端末機に関しては、端末機自体の市場及び端末機関連の付加サービス市場の規模も急速に拡大している。移動通信端末機関連の代表的な付加サービスとしては、着信音、通話待ち受け音又は待ち受け画面用のグラフィックコンテンツなどを挙げることができる。
【０００４】
これらのうち通話待ち受け音の場合、発信者に音楽などのコンテンツを提供することで待ち受け中の発信者の退屈などを減少させる等の機能を行っていた従来の技術から、最近では映像通話の登場などにより動画の提供のような機能を行える形態に発展してきた。
【発明の概要】
【発明が解決しようとする課題】
【０００５】
しかし、このような従来の通話待ち受け音又は通話待ち受け動画は、サーバ側に保存されている音楽又は動画を発信者に一方的に提供しているにすぎない。従って、発信者又は受信者に通話待ち受け時間を用いてより有用な情報を提供できるようにするための新しい方法が要求されている。
【０００６】
そこで、本発明は、上記問題に鑑みてなされたものであり、本発明の目的とするところは、移動電話端末機などを用いて通話を試みる発信者、又は受信者に通話待ち受け画面を介して実用的かつ有用な情報の提供などを可能とするためのウィジェット型通話待ち受け画面提供システムを提供することにある。また、本発明の目的は、上述した目的に制限されず、上述していない他の目的は以下の記載によって当業者に明確に理解され得るであろう。
【課題を解決するための手段】
【０００７】
上記課題を解決するために、本発明の一実施形態、及び他の実施の形態によるウィジェット型通話待ち受け画面提供システムは、管理サーバと、前記管理サーバにより制御管理されウィジェット型通話待ち受け画面コンテンツ及びこれを駆動するための専用アプリケーションを保存管理するためのデータベースと、前記データベースからダウンロードしたウィジェット型通話待ち受け画面コンテンツ及びこれを駆動するための専用アプリケーションを搭載することで、発信又は受信通話待ち受け中にウィジェット型通話待ち受け画面が実行される使用者端末機と、を含み、前記ウィジェット型通話待ち受け画面コンテンツは受信者又は発信者の電話番号に連動して発信又は受信通話待ち受け中に実行されることを特徴とする。
【０００８】
この時、前記ウィジェット型通話待ち受け画面コンテンツは、使用者によって作成されて前記管理サーバを介してアップロードされた後、これのダウンロードを希望する使用者端末機に選択的にダウンロードできるように構成でき、この場合、前記ウィジェット型通話待ち受け画面コンテンツは前記サーバから提供されるウィジェット型通話待ち受け画面作成ツール（ｔｏｏｌ）により作成できるか、又はすでに作成されている複数のウィジェット型待ち受け画面コンテンツから使用者により選択できる構成を有し得る。
【０００９】
ここで、前記使用者端末機は前記データベースに現在保存されているウィジェット型通話待ち受け画面コンテンツに対するリストの確認及びこれに対する選択的なダウンロードを可能とすることがより好ましい。
【００１０】
そして、前記受信者又は発信者の電話番号に連動して実行されるウィジェット型通話待ち受け画面コンテンツは、内線番号の案内、製品又はメニューの紹介、予約又は前売り情報、世論調査及び案内、又は広告情報などを含むように構成されると良い。
【００１１】
この時、前記受信者又は発信者の電話番号に連動して発信又は受信通話待ち受け中に実行される内線番号の案内、製品又はメニューの紹介、予約又は前売り情報、世論調査及び案内、又は広告情報を含むウィジェット型通話待ち受け画面コンテンツは、発信者と受信者との間の電話が繋がった後も発信者又は受信者の端末機画面を介して実行状態を維持するように構成され得る。
【００１２】
また、前記受信者又は発信者の電話番号に連動して発信又は受信通話待ち受け中に実行される内線番号の案内、製品又はメニューの紹介、予約又は前売り情報、世論調査及び案内、又は広告情報を含むウィジェット型通話待ち受け画面コンテンツは、発信者又は受信者の操作に対応するように詳細メニューや追加情報の提供、又は選択された内線番号への連結を含む付加機能を行えることを特徴とする。
【００１３】
このような使用者端末機に搭載されたウィジェット型通話待ち受け画面コンテンツ及びこれを駆動するための専用アプリケーションが、前記管理サーバとの連動によりリアルタイム又は周期的なアップデートができることは当業者にとって自明である。
【００１４】
ここで、本発明の実施の形態によるウィジェット型通話待ち受け画面コンテンツ提供システムは、現在発信が行われている受信者又は発信者の電話番号と連動するウィジェット型通話待ち受け画面コンテンツが発信者又は受信者の端末機にそれぞれ保存されていない場合、該当するウィジェット型通話待ち受け画面コンテンツに対するリアルタイムダウンロードができるように構成することが好ましいが、この場合、このような前記ウィジェット型通話待ち受け画面コンテンツに対するリアルタイムダウンロードは、発信者又は受信者の該当するウィジェット型通話待ち受け画面コンテンツに対するダウンロード許可決定に対応して行われるように構成することが好ましい。
【００１５】
この時、前記管理サーバは前記データベースにより保存管理されるウィジェット型通話待ち受け画面コンテンツ及びこれを駆動するための専用アプリケーションにアップデートが発生した場合、その旨を使用者端末機に通知するように構成できる。
【発明の効果】
【００１６】
以上説明したように本発明によれば、移動電話端末機などを用いて通話を試みる発信者、又は受信者にカスタマイズしたウィジェット型通話待ち受け画面を提供することができる。
【図面の簡単な説明】
【００１７】
【図１】本発明の一実施形態に係るウィジェット型通話待ち受け画面提供システムの構成を概略的に示す図である。
【図２】本発明の他の実施形態に係るウィジェット型通話待ち受け画面提供システムの構成を概略的に示す図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
以下、添付された図面を参照して本発明の一実施形態に係るウィジェット型通話待ち受け画面提供システムの構成について詳細に説明する。図１は、本発明の一実施形態に係るウィジェット型通話待ち受け画面提供システムの構成を概略的に示す図である。
【００２０】
図１に示すように、本発明の一実施形態に係るウィジェット型通話待ち受け画面提供システムは、管理サーバ１１０、データベース１２０、および使用者端末機１３０、１４０などを含んで構成される。
【００２１】
管理サーバ１１０は、送受信用使用者端末機１３０、１４０間の通信中継及びデータベース１２０の管理などの機能を行う。そして、管理サーバ１１０によって制御管理されるデータベース１２０は、ウィジェット型通話待ち受け画面コンテンツ及びこれを駆動するための専用アプリケーションなどを保存管理する機能を行う。
【００２２】
ここで、データベース１２０によって保存管理されるウィジェット型通話待ち受け画面コンテンツは、使用者によって作成され管理サーバ１１０を介してアップロードされた後、これのダウンロードを希望する使用者端末機１３０、１４０に選択的にダウンロードできるように構成されることが好ましい。即ち、図面に示すように、受信者端末機１４０を介してアップロードされてデータベース１２０に保存された後、このように保存されたデータをダウンロードした発信者端末機１３０によって該当する受信者端末機１４０に対する呼び出しが発生すると、発信者端末機１３０上に前記アップロードされたウィジェット型通話待ち受け画面コンテンツが実行される。
【００２３】
この時、ウィジェット型通話待ち受け画面コンテンツは、管理サーバ１１０から提供されるウィジェット型通話待ち受け画面作成ツール（ｔｏｏｌ）により作成できるか、又はすでに作成されている複数のウィジェット型待ち受け画面コンテンツから使用者により選択できるようにするなどの方式によってアップロードできるが、本発明は必ずしもこれに限定されない。
【００２４】
ここで、前記使用者端末機１３０は、前記データベース１２０に現在保存されているウィジェット型通話待ち受け画面コンテンツに対するリストの確認及びこれに対する選択的なダウンロードができるように構成でき、受信者端末機１４０を介してアップロードされた際に指定されたキーワードやアップロード日付、ダウンロード人気度などによる部分検索機能を有するように構成され得る。
【００２５】
このような過程を経てアップロード及びダウンロードされたウィジェット型通話待ち受け画面コンテンツは、データベース１２０からダウンロードしたウィジェット型通話待ち受け画面コンテンツを駆動するための専用アプリケーションが搭載された発信者端末機１３０による特定受信者端末機１４０に対する発信通話待ち受け中に、該当する受信者端末機１４０の電話番号に連動して実行される。
【００２６】
この時、本発明の一実施形態に係るウィジェット型通話待ち受け画面提供システムに適用されるウィジェット型通話待ち受け画面コンテンツは、内線番号の案内、製品又はメニューの紹介、及び広告情報などを含むように構成されると良い。言い換えれば、会社の代表電話番号などに連動するウィジェット型通話待ち受け画面コンテンツであれば、該当する電話番号に連結されている内線番号情報を通話待ち受け画面を介して提供することで、使用者の便宜性の向上及び通話時間の短縮などの効果を提供することができ、飲食店やその他商品販売店などの電話番号に連動するウィジェット型通話待ち受け画面コンテンツであれば、該当する店が取り扱っている料理のメニューや製品情報などの情報を提供できるように作成してアップロードすることで、効率性や使用者の便宜性などを増大できるであろう。
【００２７】
また、このようなウィジェット型通話待ち受け画面コンテンツが、発信者と受信者との間の電話が繋がった後も発信者端末機画面を介して実行状態を維持するように構成されることで、以上で例示した内線番号の案内、製品又はメニューの紹介、及び広告情報などに対する詳細メニューや追加情報の提供、又は使用者によって指定選択された内線番号への連結などのような付加機能を行えるように構成できる。即ち、会社の内線番号の案内に係るコンテンツであれば、電話が繋がってから待ち受け画面上に提供される内線番号を直接クリックする方式などによって該当する内線番号へ連結する機能を提供し、または、製品又はメニュー情報を提供する場合であれば、使用者がクリックなどによって選択する製品に対する詳細情報を提供するか、又は該当する製品に対して注文を行う機能などを提供できるであろう。
【００２８】
しかし、本発明は必ずしもこれに限定されず、本発明の実施の形態に適用されるウィジェット型通話待ち受け画面コンテンツに内線番号の案内、製品紹介などの情報以外に切符や公演チケットの前売り情報、又は飲食店の予約情報などのようにより多様な情報を提供できることは当業者にとって自明である。
【００２９】
ここで、本発明の一実施形態に係るウィジェット型通話待ち受け画面コンテンツ提供システムは、現在発信が行われている受信者の電話番号と連動するウィジェット型通話待ち受け画面コンテンツが発信者端末機１３０に保存されていない場合、該当するウィジェット型通話待ち受け画面コンテンツに対するリアルタイムダウンロードを行える構成を有し得る。即ち、発信者端末機１３０が呼び出した受信者端末機１４０に該当する電話番号と連動する待ち受け画面コンテンツがデータベース１２０に登録されているものの、発信者端末機１３０にダウンロードされていない場合、管理サーバ１１０は発信者端末機１３０にその旨を通知すると同時に該当するウィジェット型通話待ち受け画面コンテンツに対するダウンロードを実行するか否かを問うように構成されることができ、このような問いに対応する使用者の決定に従って該当する通話待ち受け画面コンテンツに対するダウンロードを実行するか、または実行しないように構成することができる。
【００３０】
さらに、管理サーバ１１０はデータベース１２０により保存管理されるウィジェット型通話待ち受け画面コンテンツ及びこれを駆動するための専用アプリケーションなどにアップデートが発生する場合、その旨を全ての、又は指定された一部の使用者端末機１３０、１４０に通知するように構成されるか、又は使用者端末機１３０、１４０に搭載されたウィジェット型通話待ち受け画面コンテンツ及びこれを駆動するための専用アプリケーションが管理サーバ１１０との連動によって自動的にリアルタイム又は周期的なアップデートができるように構成され得ることはもちろんである。
【００３１】
以上、図面に基づき説明された本発明の一実施形態において使用者端末機１３０、１４０は必ずしも移動通信端末機に限定されず、本発明に適用される使用者端末機に各種無線通信用端末機はもちろん、有線電話機などの有線端末機、又はコンピュータやインターネットを用いたフォンサービス用端末機などが適用可能であることは当業者にとって自明である。
【００３２】
次に、図２を参照しながら本発明の他の実施形態に係るウィジェット型通話待ち受け画面提供システムの構成について説明する。図２は、本発明の他の実施形態に係るウィジェット型通話待ち受け画面提供システムの構成を概略的に示す図である。
【００３３】
図２に示すように、本発明の他の実施形態に係るウィジェット型通話待ち受け画面提供システムは、管理サーバ２１０、データベース２２０、及び使用者端末機２３０、２４０などを含んで構成される。即ち、他の実施形態は、上述した一実施形態とは逆に、受信者端末機に電話をかけてくる発信者の電話番号と連動してウィジェット型通話待ち受け画面が実行されるように構成される場合を示す。従って、ウィジェット型通話待ち受け画面コンテンツのアップロードは、発信者端末機２３０側にて行われ、これのダウンロードは受信者端末機２４０を介して行われるというところが異なる。
【００３４】
言い換えれば、図２に示す本発明の他の実施形態の場合、受信者端末機２４０の通話待ち受け中に発信者端末機２３０に該当する電話番号と連動する通話待ち受け画面が実行されるように構成されるために、図１の実施の形態で上述したように、内線番号の案内、製品紹介などの情報以外に切符や公演チケットの前売り情報又は飲食店の予約情報などの提供に利用可能であるが、さらに好ましくは世論調査及び官公署などの案内電話などに適用した方がより好ましいであろう。ただし、必ずしもこれに限定されない。
【００３５】
その他待ち受け画面コンテンツのアップロード、ダウンロード、及び利用方法などの詳細な機能などについては前述した図１の説明を参照する。
【００３６】
以上で説明された本発明の一実施形態に適用される使用者端末機２３０、２４０が必ずしも移動通信端末機に限定されるものでなく、有線電話機などの有線端末機又はコンピュータやインターネットを用いたフォンサービス用端末機などに適用できることについては前述した。
【００３７】
（効果の例）
以上説明したように本発明の一実施形態に係るウィジェット型通話待ち受け画面提供システムによると、通話待ち受け画面を用いて製品やメニューの紹介又は内線番号の案内などのような有用な情報を提供できるようになるという長所がある。
【００３８】
また、電話が繋がった後も通話待ち受け画面である発信者又は受信者の端末機上に実行状態を維持させることで、これを操作をすることによって詳細メニュー、追加情報などの提供又は希望する内線番号への直接連結などのような付加機能を行えるようになるという長所もある。
【００３９】
さらに、このようなウィジェット型通話待ち受け画面コンテンツのリストを確認することによる選択的なダウンロード及び通話連結直前のリアルタイムダウンロードなどのような様々な方式によってコンテンツのダウンロード又はアップデートを可能にすることで、使用者の便宜性などを向上させることができるなどの様々な長所もある。
【００４０】
即ち、本発明は単に退屈を紛らわせたり、または広告によって新しい付加価値を求めたりしていた従来の通話待ち受け画面から脱皮して、使用者により有用かつ実用的な情報を通話待ち受け画面を介して提供できるようにすることで、通話待ち受け画面時間を効率的に活用できることはもちろん、これにより通話時間短縮などのような追加的な長所を得ることができるなどの効果がある。
【００４１】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、これらについても当然に本発明の技術的範囲に属するものと了解される。
【００４２】
また、発明は以上に開示した実施の形態に限定されるものでなく、互いに異なる様々な形態で実施されることができ、本実施の形態は本発明の開示を完全なものとし、本発明の属する技術分野における通常の知識を有する者に発明の範疇を完全に知らせるために提供されるものであり、本発明は請求項の範疇によってのみ定義されるものである。明細書の全体に亘り、同一参照符号は同一構成要素を示す。
【００４３】
また、第１、第２などが、多様な素子、構成要素および／またはセクションを説明するために使用される。しかしながら、これらの素子、構成要素および／またはセクションは、これらの用語によって制限されないことはもちろんである。これらの用語は単に１つの素子、構成要素、またはセクションを他の素子、構成要素またはセクションと区別するために使用されるものである。したがって、以下で言及される第１素子、第１構成要素、または第１セクションは、本発明の技術的思想内で第２素子、第２構成要素、または第２セクションであり得ることはもちろんである。
【００４４】
また、本明細書で使用された用語は、実施の形態を説明するためのものであり、本発明を制限しようとするものではない。本明細書において単数形は、文言で特別に言及しない限り複数形をも含む。明細書で使用される「含む（ｃｏｍｐｒｉｓｅｓ）」および／または「含む（ｃｏｍｐｒｉｓｉｎｇ）」は言及した構成要素、段階、動作および／または素子が１つ以上の他の構成要素、段階、動作および／または素子の存在または追加を排除しない。また、「ＡまたはＢ」は、Ａ、Ｂ、ＡおよびＢを意味する。さらに、明細書の全体に亘って同じ参照符号は同じ構成要素を示す。
【００４５】
他に定義されなければ、本明細書で使用されるすべての用語（技術および科学的用語を含む）は、本発明の属する技術分野における通常の知識を有する者に共通に理解されうる意味として使用されることができる。また、一般的に使用される辞典に定義されている用語は、特に明確な定義が行われていない限り理想的にまたは過度に解釈されない。
【００４６】
また、処理フローチャートの各ブロックとフローチャートとの組み合わせはコンピュータプログラムインストラクションにより行われ得ることが理解できるはずである。これらのコンピュータプログラムインストラクションは、汎用コンピュータ、特殊コンピュータ、またはその他プログラム可能なデータプロセッシング装備のプロセッサに搭載しえるため、コンピュータまたはその他プログラム可能なデータプロセッシング装備のプロセッサにより行われるそのインストラクションがフローチャートブロックで説明された機能を行う手段を生成するようになる。これらのコンピュータプログラムインストラクションは、特定の方式で機能を実施するためにコンピュータまたはその他プログラム可能なデータプロセッシング装備が備えられるコンピュータによって利用可能または読取可能なメモリに保存することも可能なため、該コンピュータによって利用可能または読取可能なメモリに保存されたインストラクションはフローチャートブロックで説明された機能を行うインストラクション手段を含む製造品目を生産することも可能である。コンピュータプログラムインストラクションは、コンピュータまたはその他プログラム可能なデータプロセッシング装備上に搭載されることも可能なため、コンピュータまたはその他プログラム可能なデータプロセッシング装備上で一連の動作ステップが行われ、コンピュータで実行されるプロセスを生成してコンピュータまたはその他プログラム可能なデータプロセッシング装備の機能を行うインストラクションはフローチャートブロックで説明された機能を実行するためのステップを提供することも可能である。
【符号の説明】
【００４７】
１１０、２１０    管理サーバ
１３０、２３０    発信者端末機
１４０、２４０    受信者端末機
２１０、２２０    データベース
【図１】
2010103964.tif 000003
【図２】
2010103964.tif 000004